(57)【特許請求の範囲】
【請求項１】
ロック付きキャビネットであって、
サーバーを内部に収容するキャビネットと、
ロック操作によって前記キャビネット内から前記サーバーを取り出し不能とする第１ロック機構と、
前記第１ロック機構のロック動作に連動して、前記キャビネットの位置または前記サーバーの位置をロックする第２ロック機構と、を備え、
前記キャビネットは、前記サーバーを出し入れするために開閉される扉部を含み、
前記第１ロック機構は、前記扉部をロックし、
前記第２ロック機構は、前記サーバーを前記キャビネットにロックする、ロック付きキャビネット。
【請求項２】
前記第２ロック機構は、前記サーバーに設けられた被係止部と、前記キャビネットに接続され、前記被係止部に係止することにより、前記サーバーの移動を不能とする係止部とを含み、
前記係止部は、前記第１ロック機構のロック動作に連動して前記被係止部に係止する、請求項１に記載のロック付きキャビネット。
【請求項３】
前記キャビネットを移動可能に支持する複数のキャスターをさらに備え、
前記キャビネットは、前記サーバーを出し入れするために開閉される扉部を含み、
前記第１ロック機構は、前記扉部をロックし、
前記第２ロック機構は、前記複数のキャスターの少なくともいずれかをロックする、請求項１に記載のロック付きキャビネット。
【請求項４】
前記第２ロック機構は、前記キャスターに設けられた被係合部と、前記被係合部に係合することにより前記キャスターの回転を不能とする係合部とを含み、
前記係合部は、前記第１ロック機構のロック動作に連動して前記被係合部に係合する、請求項３に記載のロック付きキャビネット。
【請求項５】
前記第１ロック機構をロックするためのロック操作部が、前記キャビネットに設けられている、請求項１から４のいずれか１項に記載のロック付きキャビネット。
【請求項６】
前記第１ロック機構は、複数設けられている、請求項１から５のいずれか１項に記載のロック付きキャビネット。
【請求項７】
前記キャビネットは、前記サーバーを出し入れするために開閉される第１の扉部および第２の扉部を含み、
前記第１の扉部および前記第２の扉部は、前記キャビネットの互いに相対する側面に設けられ、
複数の前記第１ロック機構は、２つの前記第１ロック機構を含み、
前記２つの前記第１ロック機構のうち一方の前記第１ロック機構は、前記第１の扉部をロックし、
前記２つの前記第１ロック機構のうち他方の前記第１ロック機構は、前記第２の扉部をロックする、請求項６に記載のロック付きキャビネット。
【請求項８】
前記第２ロック機構は、複数設けられている、請求項１から７のいずれか１項に記載のロック付きキャビネット。
【請求項９】
前記キャビネットは、前記サーバーを出し入れするために開閉される扉部と、前記扉部の両端に接続され、前記扉部が開く方向と反対側に向けて延在する側壁部を含み、
前記複数のキャスターは、前記扉部側に位置する第１キャスターと、前記扉部側に位置する前記側壁部の一端側とは反対の前記側壁部の他端側に位置する第２キャスターとを含み、
前記第２ロック機構は、２つの前記第２ロック機構を含み、
前記２つの前記第２ロック機構のうち一方の前記第２ロック機構は、前記第１キャスターをロックし、
前記２つの前記第２ロック機構のうち他方の前記第２ロック機構は、前記第２キャスターをロックする、請求項３に記載のロック付きキャビネット。
【請求項１０】
前記キャビネットは、前記サーバーを出し入れするために開閉される扉部をさらに備え、
前記第１ロック機構は、前記扉部をロックし、
前記第２ロック機構は、前記キャビネットに隣り合うように配置された配置物に前記キャビネットをロックする、請求項１に記載のロック付きキャビネット。
【請求項１１】
請求項１から１０のいずれか１項に記載のロック付きキャビネットと、
画像形成装置と、を備えた情報処理機器。
【請求項１２】
前記画像形成装置は、前記ロック付きキャビネット上に配置され、
前記第２ロック機構は、前記キャビネットを前記画像形成装置にロックする、請求項１１に記載の情報処理機器。
【発明の詳細な説明】
【技術分野】
【０００１】
本発明は、ロック付きキャビネットおよびこれを備えた情報処理機器に関する。
【背景技術】
【０００２】
従来、内部に収容物を収容するキャビネットが開示された文献として、たとえば特開２００７−１４６９９号公報（特許文献１）および特開２０００−２１１５２５号公報（特許文献２）が挙げられる。
【０００３】
特許文献１に開示のキャビネットは、移動可能に構成され、開閉可能に設けられた扉部を備える。当該扉には、扉の閉状態をロックするためのラッチが設けられている。
【０００４】
特許文献２に開示のキャビネットは、キャスター付きワゴンを出し入れ可能に格納する収容部を備えている。収容部に設けられたキャスター付きワゴンの入口部の一部を開閉可能に覆う遮蔽手段によって、収容部に収容されたキャスター付きワゴンを出し入れ可能なフリー状態と出し入れ不能なロック状態とを切り換える。さらに、遮蔽手段をロック状態に保持する施錠手段が設けられている。
【先行技術文献】
【特許文献】
【０００５】
【特許文献１】特開２００７−１４６９９号公報
【特許文献２】特開２０００−２１１５２５号公報
【発明の概要】
【発明が解決しようとする課題】
【０００６】
近年、サーバーを任意の場所に設置したいという要望がある。しかしながら、何ら手立てなくサーバーを収容するキャビネットを配置した場合には、キャビネットからサーバーを取り出されて盗難される。
【０００７】
しかしながら、特許文献１および特許文献２に開示の構成を、サーバーを収容するキャビネットに適用し、サーバーを取り出すための取り出し口を開閉可能に覆う扉を閉状態に維持するロック機構のみを設けるだけでは、扉をこじ開けられた場合に、サーバーを盗難されることが懸念される。一方で、扉がこじ開けられない場合であっても、キャビネットごと盗難されることが懸念される。
【０００８】
このように、キャビネットに設けられた扉をロックするロック機構を設けた構成では、サーバーを安全に保管できるとは言えない。
【０００９】
本発明は、上記のような問題に鑑みてなされたものであり、本発明の目的は、キャビネット内に収容されたサーバーの盗難を防止するロック付きキャビネットおよび情報処理機器を提供することにある。
【課題を解決するための手段】
【００１０】
本開示のロック付きキャビネットは、サーバーを内部に収容するキャビネットと、ロック操作によって上記キャビネット内から上記サーバーを取出不能とする第１ロック機構と、上記第１ロック機構のロック動作に連動して、上記キャビネットの位置または上記サーバーの位置をロックする第２ロック機構と、を備える。
【００１１】
上記本開示のロック付きキャビネットにあっては、上記キャビネットは、上記サーバーを出し入れするために開閉される扉部を含むことが好ましく、上記第１ロック機構は、上記扉部をロックすることが好ましい。この場合には、上記第２ロック機構は、上記サーバーを上記キャビネットにロックしてもよい。
【００１２】
上記本開示のロック付きキャビネットにあっては、上記第２ロック機構は、上記サーバーに設けられた被係止部と、上記キャビネットに接続され、上記被係止部に係止することにより、上記サーバーの移動を不能とする係止部とを含んでいてもよい。この場合には、上記係止部は、上記第１ロック機構のロック動作に連動して上記被係止部に係止することが好ましい。
【００１３】
上記本開示のロック付きキャビネットは、上記キャビネットを移動可能に支持する複数のキャスターをさらに備えていてもよい。上記キャビネットは、上記サーバーを出し入れするために開閉される扉部を含むことが好ましく、上記第１ロック機構は、上記扉部をロックすることが好ましい。この場合には、上記第２ロック機構は、上記複数のキャスターの少なくともいずれかをロックしてもよい。
【００１４】
上記本開示のロック付きキャビネットにあっては、上記第２ロック機構は、上記キャスターに設けられた被係合部と、上記被係合部に係合することにより上記キャスターの回転を不能とする係合部とを含んでいてもよい。この場合には、上記係合部は、上記第１ロック機構のロック動作に連動して上記被係合部に係合することが好ましい。
【００１５】
上記本開示のロック付きキャビネットにあっては、上記第１ロック機構をロックするためのロック操作部が、上記キャビネットに設けられていることが好ましい。
【００１６】
上記本開示のロック付きキャビネットにあっては、上記第１ロック機構は、複数設けられていてもよい。
【００１７】
上記本開示のロック付きキャビネットにあっては、上記キャビネットは、上記サーバーを出し入れするために開閉される第１の扉部および第２の扉部を含んでいてもよい。この場合には、上記第１の扉部および上記第２の扉部は、上記キャビネットの異なる側面に設けられることが好ましい。また、複数の上記第１ロック機構は、２つの上記第１ロック機構を含んでいてもよい。この場合には、上記２つの上記第１ロック機構のうち一方の上記第１ロック機構は、上記第１の扉部をロックすることが好ましく、上記２つの上記第１ロック機構のうち他方の上記第１ロック機構は、上記第２の扉部をロックすることが好ましい。
【００１８】
上記本開示のロック付きキャビネットにあっては、上記第２ロック機構は、複数設けられていてもよい。
【００１９】
上記本開示のロック付きキャビネットにあっては、上記キャビネットは、上記サーバーを出し入れするために開閉される扉部と、上記扉部の両端に接続され、上記扉部が開く方向と反対側に向けて延在する側壁部を含むことが好ましく、上記複数のキャスターは、上記扉部側に位置する第１キャスターと、上記扉部側に位置する上記側壁部の一端側とは反対の上記側壁部の他端側に位置する第２キャスターとを含むことが好ましい。この場合には、上記第２ロック機構は、２つの上記第２ロック機構を含んでいてもよい。上記２つの上記第２ロック機構のうち一方の上記第２ロック機構は、上記第１キャスターをロックすることが好ましく、上記２つの上記第２ロック機構のうち他方の上記第２ロック機構は、上記第２キャスターをロックすることが好ましい。
【００２０】
上記本開示のロック付きキャビネットは、上記キャビネットは、上記サーバーを出し入れするために開閉される扉部をさらに備えることが好ましく、上記第１ロック機構は、上記扉部をロックすることが好ましい。この場合には、上記第２ロック機構は、上記キャビネットに隣り合うように配置された配置物に上記キャビネットをロックしてもよい。
【００２１】
本開示の情報処理機器は、上記ロック付きキャビネットと、画像形成装置と、を備える。
【００２２】
上記本開示の情報処理機器にあっては、上記画像形成装置は、上記ロック付きキャビネット上に配置されることが好ましく、上記第２ロック機構は、上記キャビネットを上記画像形成装置にロックすることが好ましい。
【発明の効果】
【００２３】
本発明によれば、キャビネット内に収容されたサーバーの盗難を防止するロック付きキャビネットおよび情報処理機器を提供することができる。
【図面の簡単な説明】
【００２４】
【図１】実施の形態１に係る情報処理機器を示す斜視図である。
【図２】実施の形態１に係る情報処理機器の内部構成を示す概略図である。
【図３】実施の形態１に係るサーバー装置の分解斜視図である。
【図４】実施の形態１に係るロック付きキャビネットに設けられた複数のロック機構を説明するための正面模式図である。
【図５】実施の形態１に係るロック付きキャビネットに設けられた複数のロック機構を説明するための側面模式図である。
【図６】実施の形態１に係るロック機構のロック操作に連動して移動する移動体の斜視図である。
【図７】変形例１に係るロック機構を示す概略斜視図である。
【図８】実施の形態２に係るロック付きキャビネットを示す斜視図である。
【発明を実施するための形態】
【００２５】
以下、本発明の実施の形態について、図を参照して詳細に説明する。なお、以下に示す実施の形態においては、同一のまたは共通する部分について図中同一の符号を付し、その説明は繰り返さない。
【００２６】
なお、図中における矢印Ｕ，Ｄは、上下方向を示し、矢印Ｆｒ，Ｒｅは前後方向を示し、矢印Ｌ，Ｒは前方側から見た場合の左右方向を示す。
【００２７】
（実施の形態１）
（情報処理機器）
図１は、実施の形態１に係る情報処理機器を示す斜視図である。図２は、実施の形態１に係る情報処理機器の内部構成を示す概略図である。図１および図２を参照して、実施の形態１に係る情報処理機器１００について説明する。
【００２８】
図１および図２に示すように、情報処理機器１００は、画像形成装置１０、およびサーバー装置２０を備える。
【００２９】
（画像形成装置）
画像形成装置１０の外形形状は、全体として略直方体状であり、画像形成装置１０は、前壁部１０Ｆ、後壁部１０Ｂ、右側壁部１０Ｒ、左側壁部１０Ｌ、上壁部１０Ｕ、および底壁部１０Ｄ（図２）を有している。底壁部１０Ｄは、サーバー装置２０に対向する。
【００３０】
画像形成装置１０は（図２）、その構成要素として、記録媒体（典型的には記録用紙）上に画像を形成する画像形成部４１、および用紙積載部４２，４３を備え、これらはいずれも画像形成装置１０の内部に配置されている。画像形成部４１は、感光体５１、帯電装置５２、露光装置５３、現像装置５４、トナーユニット５４Ｕ、１次転写部５５、１次転写ローラー５６、中間転写ベルト５７、支持ローラー５８，５９、２次転写ローラー６０、２次転写部６１、定着部６２、および排紙ローラー６３を含む。
【００３１】
感光体５１および１次転写部５５などは、イエロー、マゼンタ、シアン、ブラックの各色に対応するように４組設けられており、画像形成装置１０は、これらの機器を用いて各色に対応したトナー像を中間転写ベルト５７の表面上に形成する。各色のトナー像は、中間転写ベルト５７の表面上で重ね合わされ、その後、中間転写ベルト５７は、中間転写ベルト５７と２次転写ローラー６０との間の２次転写部６１にカラートナー像を搬送する。
【００３２】
用紙積載部４２，４３は、画像形成装置１０の下部に設けられ、複数枚の記録用紙を収容している。
【００３３】
ピックアップローラー４２Ｒ，４３Ｒおよびタイミングローラー４１Ｒは、用紙搬送経路の一部を構成しており、記録用紙は、ピックアップローラー４２Ｒ，４３Ｒおよびタイミングローラー４１Ｒを介して２次転写部６１に搬送される。中間転写ベルト５７に担持されているカラートナー像は、２次転写部６１において記録用紙の表面上に転写される。カラートナー像は、定着部６２によって記録用紙の表面上に定着される。記録用紙はその後、排紙ローラー６３によって排紙部４４に排出される。
【００３４】
画像形成装置１０の前壁部１０Ｆ側には、操作パネル１６、画像形成部４１を覆うカバー１１、用紙積載部４２を覆うカバー１２、および、用紙積載部４３を覆うカバー１３が設けられている。画像形成部４１（図２）の保守点検時や、トナーユニット５４Ｕ（図２）を交換する時等には、カバー１１が開けられる。用紙を追加する場合等には、カバー１２が用紙積載部４２（給紙カセットともいう）とともに手前側に引き出されたり、カバー１３が用紙積載部４３とともに手前側に引き出されたりする。
【００３５】
画像形成装置１０の上部には、スキャナーユニット１４が設けられており、スキャナーユニット１４の一部は、カバー１５により開閉可能に覆われている。
【００３６】
（サーバー装置２０）
サーバー装置２０は、画像形成装置１０と図示しない信号線等を介して接続され、それぞれの装置のもつセンサー値や装置の作動に利用されるデータ等を必要に応じてやり取りしている。画像形成装置１０とサーバー装置２０とは別々の電源を有しており、それぞれ独立した動作が可能であり、サーバー装置２０はネットワークを介してクライアント装置からアクセスを受け付けるため常時稼働しているといった基本的特徴を有している。
【００３７】
サーバー装置２０は、それ単独で、メールサーバー、Ｗｅｂサーバー、アプリケーションサーバー、ファイルサーバー、プリントサーバーなどとして機能し、クライアント装置等からの要求に応じて、予め定められたコンピュータプログラムに基づいた処理（たとえばデータの保管、データの整理、各種の動的処理、各種の応答処理）を実行することができる。
【００３８】
サーバー装置２０の外形形状も、全体として略直方体状であり（図１）、サーバー装置２０は、前壁部２０Ｆ、後壁部２０Ｂ、右側壁部２０Ｒ、左側壁部２０Ｌ、上壁部２０Ｕおよび底壁部２０Ｄを有している。上壁部２０Ｕは、画像形成装置１０の底壁部１０Ｄに対向する。
【００３９】
図３は、実施の形態１に係るサーバー装置の分解斜視図である。図３を参照して、サーバー装置の詳細について説明する。
【００４０】
図３に示すように、サーバー装置２０は、サーバー２３と、ロック付きキャビネット２００とを備える。サーバー２３は、マザーボード、ＣＰＵ、記録装置（ＨＤＤやＳＳＤ）、ネットワークＩＦ（ＩＦ：Interface）と、これらを収容する箱体とを含む。
【００４１】
サーバー２３の互いに相対する両側面部には、一対の可動レール２４が設けられている。一対の可動レール２４は、たとえば、サーバー２３の左右方向における両側面に設けられている。一対の可動レール２４は、たとえば板状形状を有する。一対の可動レール２４は、たとえば、前後方向に沿って延在する。
【００４２】
一対の可動レール２４は、ロック付きキャビネット２００に設けられた後述の固定レール２０５に対してスライド移動可能に構成されている。一対の可動レール２４には、挿入孔２２１が設けられている。挿入孔２２１は、後述する係止部としての係止ロッド部２２２に係止される被係止部として機能する。
【００４３】
ロック付きキャビネット２００は、本体部２０２および扉部２０３を含むキャビネット２０１と、後述する複数のロック機構２１０、２２０、２３０、２４０（図４参照）、および複数のキャスター２６０を備える。
【００４４】
キャビネット２０１は、サーバー２３を内部に収容可能に構成されている。本体部２０２は、サーバー２３を収容する収容空間を有する。本体部２０２は、サーバー２３を出し入れするための取出口２０４を有する。取出口２０４の周囲には、後述するロック機構２１０を操作するための操作部が設けられている。
【００４５】
本体部２０２の内周面には、一対の固定レール２０５が設けられている。一対の固定レール２０５は、たとえば本体部２０２の内周面に設けられた溝部によって構成される。一対の固定レール２０５は、たとえば、左右方向における本体部２０２の内周面に設けられている。一対の固定レール２０５は、たとえば、前後方向に延在するように設けられている。
【００４６】
扉部２０３は、取出口２０４を開閉可能に閉塞する。扉部２０３は、下端側に回動軸を有し、上端が本体部２０２から離れるように回動可能に構成されている。扉部２０３は、左右方向に延在する回転軸回りに回動可能に構成されている。
【００４７】
扉部２０３の角部には切欠き部２０６が設けられている。当該切欠き部２０６によって、ロック機構２１０を操作するための操作部が外部に露出される。扉部２０３の内表面には、回動規制部２１４が設けられている。
【００４８】
複数のキャスター２６０は、キャビネット２０１の底部に取り付けられている。複数のキャスター２６０の各々は、ローラー２６１（図４参照）と、ローラー２６１を回転可能に軸支するローラー支持部２６２（図４参照）とを有する。ローラー支持部２６２は、キャビネット２０１の底部に固定されている。ローラー２６１は、周面に複数の凹部２３１（図４参照）を有する。凹部２３１は、後述する係合部としての係合ロッド部２３２に係合される被係合部として機能する。
【００４９】
（ロック機構）
図４は、実施の形態１に係るロック付きキャビネットに設けられた複数のロック機構を説明するための正面模式図である。図５は、実施の形態１に係るロック付きキャビネットに設けられた複数のロック機構を説明するための側面模式図である。図６は、実施の形態１に係るロック機構のロック動作に連動して移動する移動体の斜視図である。なお、図４および図５においては、ロック機構の移動前の位置を実線で示し、移動後の位置を破線で示している。図４から図６を参照して、複数のロック機構２１０，２２０，２３０，２４０について説明する。
【００５０】
ロック機構２１０は、ロック操作によってキャビネット２０１内からサーバー２３を取り出し不能とする。ロック機構２１０は、扉部２０３をロックする。具体的には、ロック機構２１０は、扉部２０３が取出口２０４を閉塞する閉塞状態を維持するロック状態と、扉部２０３が取出口２０４に対して開閉可能に回動できるアンロック状態とを切り替える。
【００５１】
ロック機構２１０は、回転体２１１、ロック片２１３、および回動規制部２１４によって構成される。
【００５２】
回転体２１１は、キー溝２１２を有する。回転体２１１は、たとえば円柱形状を有する。回転体２１１は、回転可能に本体部２０２に取り付けられている。回転体２１１は、たとえば前後方向に平行な方向を回転軸とする軸回りに回転可能に設けられている。
【００５３】
ロック片２１３は、回転体２１１の径方向に沿って延在する。ロック片２１３は、回転体２１１の周面に固定されている。ロック片２１３は、回転体２１１の回転に伴って回転体２１１と同一方向に回転する。
【００５４】
回動規制部２１４は、ロック片２１３と協同して扉部２０３の回動を規制する。回動規制部２１４は、たとえば前後方向に沿って並ぶ２つの回動規制体を有する。２つの回動規制体の間にロック片２１３が入り込むことにより、回動規制部２１４は、扉部２０３が回動することを規制する。
【００５５】
回転体２１１の後端には、回転体２１１の回転に伴って高さ位置が可変する変動部２１５が設けられている。変動部２１５は、たとえば半円柱形状を有する。変動部２１５は、上記アンロック状態において、回転体２１１の上端と同じ高さ位置に位置する。変動部２１５は、上記ロック状態において上端が回転体２１１の中心軸と同じ高さ位置に位置する。
【００５６】
変動部２１５は、回転体２１１の回転に伴って高さ位置が可変することにより、移動体２５０の高さ位置を変動させる。
【００５７】
移動体２５０は、変動部２１５の上端位置に当接することで変動部２１５に支持されている。移動体２５０は、連結部２５１、係止ロッド部２２２、および係合ロッド部２３２を有する。連結部２５１は、変動部２１５に連結される。
【００５８】
係止ロッド部２２２は、連結部２５１に接続されている。係止ロッド部２２２は、上下方向に沿って延在する。係止ロッド部２２２は、移動体２５０の高さ位置変動に伴って、上下方向に移動する。係止ロッド部２２２は、サーバー２３の一対の可動レール２４の一方に設けられた挿入孔２２１に挿入可能に構成されている。
【００５９】
係合ロッド部２３２は、連結部２５１に接続されている。係合ロッド部２３２は、上下方向に沿って延在する。係合ロッド部２３２は、移動体２５０の高さ位置変動に伴って、上下方向に移動する。係合ロッド部２３２は、ローラー２６１に設けられた凹部２３１に挿入可能に構成されている。
【００６０】
ロック機構２２０は、係止ロッド部２２２、および、上記可動レール２４に設けられた挿入孔２２１によって構成される。ロック機構２２０は、後述するように、ロック機構２１０のロック動作に連動して、サーバー２３の位置をロックする。
【００６１】
ロック機構２２０は、サーバー２３をキャビネット２０１にロックする。具体的には、ロック機構２２０は、サーバー２３がキャビネット２０１に対して不動となるロック状態と、サーバー２３がキャビネット２０１に対して可動となるアンロック状態とを切り替える。
【００６２】
ロック機構２３０は、係合ロッド部２３２、および、ローラー２６１に設けられた凹部２３１によって構成される。ロック機構２３０は、後述するように、ロック機構２１０のロック動作に連動して、キャビネット２０１の位置をロックする。
【００６３】
ロック機構２３０は、キャスター２６０をロックする。具体的には、ロック機構２３０は、キャスター２６０のローラー２６１が回転不能となるロック状態と、ローラー２６１が回転可能となるアンロック状態とを切り替える。
【００６４】
ロック機構２４０は、キャビネット２０１に隣り合うように配置された配置物にキャビネット２０１をロックする。ロック機構２４０は、キャビネット２０１上に配置された配置物としての画像形成装置１０にキャビネット２０１をロックする。
【００６５】
ロック機構２４０は、回転体２１１、ロック片２４１、および移動規制部２４３によって構成される。
【００６６】
ロック片２４１は、回転体２１１の径方向に沿って延在する。ロック片２４１は、回転体２１１の周面に固定されている。ロック片２４１は、回転体２１１の回転に伴って回転体２１１と同一方向に回転する。ロック片２４１は、画像形成装置１０の底壁部１０Ｄおよびキャビネット２０１の上壁部が貫通するように設けられた開口部１０Ｈを通って画像形成装置１０の筐体内に進入可能に構成されている。ロック片２４１は、嵌合部２４２を有する。
【００６７】
移動規制部２４３は、ロック片２４１と協同してキャビネット２０１が画像形成装置１０に対して移動することを規制する。移動規制部２４３は、ロック片２４１の嵌合部２４２に嵌合可能に構成されている。移動規制部２４３が嵌合部２４２に嵌合することにより、ロック片２４１の左右方向および前後方向の移動が規制される。この結果、キャビネット２０１が画像形成装置１０にロックされる。画像形成装置１０は、上記のように用紙上に画像を形成するための多くの機構を含む画像形成部を備え、重量、サイズとも大きなものとなる。このようにキャビネット２０１が画像形成装置１０にロックされることで、さらにキャビネットおよびその中に設置されるサーバーの移動、すなわち盗難は困難となる。
【００６８】
（ロック機構の動作）
扉部２０３をロックするに際して、使用者は、ロック機構２１０をロック操作する。具体的には、使用者は、キー溝２１２にロックキーを挿入して回転体２１１を時計回りに回転させる。回転体２１１が時計回りに回転することにより、図４の破線で示すように、ロック片２１３が時計回りに回転する。
【００６９】
これにより、ロック片２１３が、上述した回動規制部２１４の有する２つの回動規制体の間に入り込む。この結果、扉部２０３の回動が規制されて、扉部２０３がロックされる。
【００７０】
上述のロック操作によって回転体２１１が回転することで、変動部２１５が移動体２５０の内表面を摺動しながら回転する。これにより、図５の破線で示すように、変動部２１５の上端位置が下方に移動する。移動体２５０は、変動部２１５の上端位置に当接することで変動部２１５に支持されている。このため、変動部２１５の上端位置が下方に移動することで、移動体２５０が下方に移動する。
【００７１】
移動体２５０が下方に移動することにより、ロック機構２２０の係止ロッド部２２２は、サーバー２３の一対の可動レール２４の一方に設けられた挿入孔２２１に挿入される。係止ロッド部２２２は、連結部２５１、変動部２１５および回転体２１１によってキャビネット２０１に接続されている。このため、係止ロッド部２２２が上記挿入孔２２１に挿入されることにより、サーバー２３がキャビネット２０１にロックされる。
【００７２】
このように、ロック機構２１０のロック動作に連動して、ロック機構２２０が操作され、サーバー２３の位置がロックされる。
【００７３】
また、移動体２５０が下方に移動することにより、ロック機構２３０の係合ロッド部２３２は、キャスター２６０のローラー２６１に設けられた凹部２３１に挿入される。これにより、ローラー２６１が回転不能となる。
【００７４】
このように、ロック機構２１０のロック動作に連動して、ロック機構２３０が操作され、キャビネット２０１の位置がロックされる。
【００７５】
また、回転体２１１が時計回りに回転することにより、図４の破線で示すように、ロック機構２４０のロック片２４１が時計回りに回転する。これにより、ロック片２４１が開口部１０Ｈを通って画像形成装置１０内に入り込み、移動規制部２４３が嵌合部２４２に嵌合する。
【００７６】
移動規制部２４３が嵌合部２４２に嵌合することにより、ロック片２４１の左右方向および前後方向の移動が規制されて、この結果、キャビネット２０１が画像形成装置１０にロックされる。
【００７７】
このように、ロック機構２１０のロック動作に連動して、ロック機構２４０が操作され、キャビネット２０１の位置がロックされる。
【００７８】
以上のように、実施の形態１に係るロック付きキャビネット２００にあっては、ロック機構２１０によって扉部２０３がロックされることにより、キャビネット２０１の内部からサーバー２３を取り出すことが困難となる。
【００７９】
また、ロック機構２１０のロック動作に連動してロック機構２２０が操作されて、サーバー２３がキャビネット２０１にロックされることにより、キャビネット２０１を破壊された場合であっても、サーバー２３をキャビネット２０１から離間させることが困難となる。これにより、サーバー２３を盗難することが困難となる。
【００８０】
また、ロック機構２１０のロック動作に連動してロック機構２３０が操作されて、ローラー２６１の回動が不能となることにより、サーバー２３が収容された状態でキャビネット２０１ごと盗難することが困難となる。
【００８１】
また、ロック機構２１０のロック動作に連動してロック機構２４０が操作されて、キャビネット２０１が画像形成装置１０にロックされることにより、サーバー２３が収容された状態でキャビネット２０１ごと盗難することが困難となる。
【００８２】
以上のように、実施の形態１に係るロック付きキャビネット２００にあっては、キャビネット内に収容されたサーバーの盗難を防止することができる。
【００８３】
加えて、上記のようにロック機構２１０のロック動作に連動させて、ロック機構２２０、２３０、２４０が操作されることにより、使用者がロック機構ごとにロック操作を行なう手間が省け、利便性を向上させることができる。
【００８４】
なお、実施の形態１においては、ロック機構２１０に加えて、ロック機構２２０、２３０、２４０が設けられる場合を例示して説明したが、これに限定されず、ロック機構２１０と、ロック機構２２０、２３０、２４０の少なくともいずれかが設けられていればよい。
【００８５】
ロック機構２１０と、ロック機構２２０、２３０、２４０の少なくともいずれかが設けられることにより、ロック機構２１０によるロックの効果に加えて、上記ロック機構２２０、２３０、２４０のいずれかによるロックの効果が発揮される。これにより、キャビネット内に収容されたサーバーの盗難を防止することができる。
【００８６】
また、実施の形態１においては、複数のキャスター２６０が設けられる場合を例示して説明したが、これに限定されず、複数のキャスター２６０が設けられていなくてもよい。
【００８７】
（変形例１）
図７は、変形例１に係るロック機構を示す概略斜視図である。図７を参照して、変形例１に係るロック機構２１０について説明する。
【００８８】
図７に示すように、変形例１に係るロック機構２１０Ａは、実施の形態１に係るロック機構２１０と比較して、回転体２１１を自動で回転させる回転駆動部２７０を備える点において相違する。その他の構成については、ほぼ同様である。
【００８９】
回転駆動部２７０は、駆動源２７１と、駆動力伝達機構２７２を含む。駆動源２７１は、たとえばモーター等によって構成されている。駆動力伝達機構２７２は、複数の歯車等によって構成されており、駆動源２７１によって生成された駆動力を回転体２１１に伝達する。駆動源２７１は、制御部２８０に接続されている。
【００９０】
制御部２８０は、駆動源２７１の動作を制御する。制御部２８０は、サーバー装置２０に具備されるものであってもよいし、画像形成装置１０に具備されるものであってもよい。
【００９１】
この場合には、ロック機構２１０は、電気錠として機能する。たとえば、扉部２０３にリーダーが設けられ、ＩＤカードをリーダーに当てることにより、制御部２８０に操作信号が入力されてもよい。
【００９２】
また、扉部２０３に暗証番号入力部が設けられ、暗証番号が入力されることにより、制御部２８０に操作信号が入力されてもよい。さらには、指紋認証、リモコン等を用いることで、制御部２８０に操作信号が入力されてもよい。また、画像形成装置１０側に設けられた操作パネル１６から、操作信号が入力されてもよい。
【００９３】
制御部２８０は、上記操作信号に基づいて駆動源２７１を制御する。これにより、ロック機構２１０のロック操作が行われる。以上のように、ロック機構２１０Ａが構成されてもよい。
【００９４】
（実施の形態２）
図８は、実施の形態２に係るロック付きキャビネットを示す斜視図である。図８を参照して、実施の形態２に係るロック付きキャビネット２００Ａについて説明する。
【００９５】
図８に示すように、実施の形態２に係るロック付きキャビネット２００Ａは、実施の形態１に係るロック付きキャビネット２００と比較した場合に、扉部２０３およびロック機構２１０、２２０、２３０、２４０が複数設けられている点において相違する。その他の構成については、ほぼ同様である。
【００９６】
扉部２０３は、２つ設けられている。２つの扉部２０３は、互いに相対するキャビネット２０１の側面に設けられている。具体的には、２つの扉部２０３は、キャビネット２０１の前面側および後面側に設けられている。
【００９７】
ロック機構２１０は、２つ設けられている。２つのロック機構２１０のうち一方のロック機構２１０は、前面側に設けられた扉部２０３をロックする。２つのロック機構のうち他方のロック機構２１０は、後面側に設けられた扉部２０３をロックする。
【００９８】
上記一方のロック機構２１０および上記他方のロック機構２１０は、斜め方向に並んで配置されている。上記一方のロック機構２１０および上記他方のロック機構２１０は、対角に配置されている。
【００９９】
キャビネット２０１は、一方の扉部２０３の両端に接続され、当該一方の扉部２０３が開く方向と反対側に向けて延在する側壁部としての右側壁部２０Ｒ、左側壁部２０Ｌを有する。
【０１００】
複数のキャスター２６０は、上記一方の扉部２０３側に位置するキャスター２６０と、上記一方の扉部２０３側に位置する右側壁部２０Ｒ、左側壁部２０Ｌの一端側とは反対の右側壁部２０Ｒ、左側壁部２０Ｌの他端側に位置するキャスター２６０とを含む。
【０１０１】
ロック機構２２０、２３０、２４０は、それぞれ２つ設けられている。これらロック機構２２０、２３０、２４０は、一方のロック機構２１０および他方のロック機構２２０のそれぞれに設けられている。ロック機構２２０、２３０、２４０の構成は、実施の形態１の構成とほぼ同様であり、ロック機構２１０のロック動作に連動してロック操作がなされる。
【０１０２】
２つのロック機構２３０のうち一方のロック機構２３０は、右側壁部２０Ｒ、左側壁部２０Ｌ上記一端側に位置するキャスター２６０（第１キャスター）をロックし、２つのロック機構２３０のうち他方のロック機構２３０は、右側壁部２０Ｒ、左側壁部２０Ｌの上記他端側に位置するキャスター２６０（第２キャスター）をロックする。
【０１０３】
２つのロック機構２２０のうち一方のロック機構２２０は、右側壁部２０Ｒ、左側壁部２０Ｌ上記一端側に位置する部分のサーバー２３をキャビネット２０１にロックし、２つのロック機構２２０のうち他方のロック機構２２０は、右側壁部２０Ｒ、左側壁部２０Ｌの上記他端側に位置する部分のサーバー２３をキャビネット２０１にロックする。
【０１０４】
２つのロック機構２４０のうち一方のロック機構２４０は、右側壁部２０Ｒ、左側壁部２０Ｌ上記一端側に位置する部分の画像形成装置１０にキャビネット２０１をロックし、２つのロック機構２４０のうち他方のロック機構２４０は、右側壁部２０Ｒ、左側壁部２０Ｌの上記他端側に位置する部分の画像形成装置１０にキャビネット２０１をロックする。
【０１０５】
以上のように構成される場合であっても、実施の形態２に係るロック付きキャビネット２００Ａは、実施の形態１に係るロック付きキャビネット２００とほぼ同様の効果が得られる。
【０１０６】
なお、実施の形態２においては、ロック機構２２０、２３０、２４０が、それぞれ２つ設けられている場合を例示して説明したが、これに限定されず、ロック機構２２０、２３０、２４０の少なくともいずれかが複数設けられていてもよい。
【０１０７】
また、実施の形態２においては、扉部２０３が２つあり、かつロック機構２１０が２つある場合を例示して説明したが、これに限定されず、扉部２０３が１つであり、ロック機構２１０が１つであってもよい。この場合には、２つあるロック機構２２０、２３０、２４０のうちロック機構２１０から遠い側に位置するロック機構２２０、２３０、２４０は、回転体２１１の回転動力を伝達する回転動力伝達機構によってロック操作がなされる。
【０１０８】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【０１０９】
１０  画像形成装置、１０Ｂ  後壁部、１０Ｄ  底壁部、１０Ｆ  前壁部、１０Ｈ  開口部、１０Ｌ  左側壁部、１０Ｒ  右側壁部、１０Ｕ  上壁部、１１，１２，１３，１５  カバー、１４  スキャナーユニット、１６  操作パネル、２０  サーバー装置、２０Ｂ  後壁部、２０Ｄ  底壁部、２０Ｆ  前壁部、２０Ｌ  左側壁部、２０Ｒ  右側壁部、２０Ｕ  上壁部、２３  サーバー、２４  可動レール、４１  画像形成部、４１Ｒ  タイミングローラー、４２，４３  用紙積載部、４２Ｒ，４３Ｒ  ピックアップローラー、４４  排紙部、５１  感光体、５２  帯電装置、５３  露光装置、５４  現像装置、５４Ｕ  トナーユニット、５５  １次転写部、５６  １次転写ローラー、５７  中間転写ベルト、５８，５９  支持ローラー、６０  ２次転写ローラー、６１  ２次転写部、６２  定着部、６３  排紙ローラー、１００  情報処理機器、２００，２００Ａ  ロック付きキャビネット、２０１  キャビネット、２０２  本体部、２０３  扉部、２０４  取出口、２０５  固定レール、２０６  切欠き部、２１０  ロック機構、２１１  回転体、２１２  キー溝、２１３  ロック片、２１４  回動規制部、２１５  変動部、２２０  ロック機構、２２１  挿入孔、２２２  係止ロッド部、２３０  ロック機構、２３１  凹部、２３２  係合ロッド部、２４０  ロック機構、２４１  ロック片、２４２  嵌合部、２４３  移動規制部、２５０  移動体、２５１  連結部、２６０  キャスター、２６１  ローラー、２６２  ローラー支持部、２７０  回転駆動部、２７１  駆動源、２７２  駆動力伝達機構、２８０  制御部。
【図１】
0006988110.tif 000002
【図２】
0006988110.tif 000003
【図３】
0006988110.tif 000004
【図４】
0006988110.tif 000005
【図５】
0006988110.tif 000006
【図６】
0006988110.tif 000007
【図７】
0006988110.tif 000008
【図８】
0006988110.tif 000009